(57)【特許請求の範囲】
【請求項１】
通信回線を介して送信される頁毎の画像形成条件と画像情報とから構成される画像形成情報を受信する受信手段と、
この受信手段で受信された画像形成情報を構成する頁毎の画像形成条件における任意の単数または複数の画像形成条件が共通な頁を集合化し、集合化した頁を１つの動作ファイルとして生成する生成手段と、
この生成手段で生成された動作ファイルを記憶する記憶手段と、
この記憶手段に記憶された動作ファイル単位で、頁毎の画像情報に基づいて被画像形成媒体に画像を形成する画像形成手段と、
を具備したことを特徴とする画像形成装置。
【請求項２】
通信回線を介して送信される頁毎の画像形成条件と画像情報とから構成される画像形成情報を受信する受信手段と、
この受信手段で受信された頁毎の画像情報を画像を形成する用紙サイズ毎に集合化し、集合化した頁を１つの動作ファイルとして生成する生成手段と、
この生成手段で生成された動作ファイルを記憶する記憶手段と、
この記憶手段に記憶された動作ファイル単位で、頁毎の画像情報に基づいて被画像形成媒体に画像を形成する画像形成手段と、
を具備したことを特徴とする画像形成装置。
【請求項３】
通信回線を介して送信される頁毎の画像形成条件と画像情報とから構成される画像形成情報を受信する受信手段と、
この受信手段で受信された頁毎の画像情報を頁毎の画像情報形式の圧縮、非圧縮で集合化し、集合化した頁を１つの動作ファイルとして生成する生成手段と、
この生成手段で生成された動作ファイルを記憶する記憶手段と、
この記憶手段に記憶された動作ファイル単位で、頁毎の画像情報に基づいて被画像形成媒体に画像を形成する画像形成手段と、
を具備したことを特徴とする画像形成装置。
【請求項４】
通信回線を介して送信される頁毎の画像形成条件と画像情報とから構成される画像形成情報を受信する受信手段と、
この受信手段で受信された頁毎の画像情報を頁毎の画像の解像度に応じて集合化し、集合化した頁を１つの動作ファイルとして生成する生成手段と、
この生成手段で生成された動作ファイルを記憶する記憶手段と、
この記憶手段に記憶された動作ファイル単位で、頁毎の画像情報に基づいて被画像形成媒体に画像を形成する画像形成手段と、
を具備したことを特徴とする画像形成装置。
【請求項５】
通信回線を介して送信される頁毎の画像形成条件と画像情報とから構成される画像形成情報を受信し、この受信された画像形成情報を構成する頁毎の画像形成条件における任意の単数または複数の画像形成条件が共通な頁を集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする画像形成方法。
【請求項６】
通信回線を介して送信される頁毎の画像形成条件と画像情報とから構成される画像形成情報を受信し、この受信された頁毎の画像情報を画像を形成する用紙サイズ毎に集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする画像形成方法。
【請求項７】
通信回線を介して送信される頁毎の画像形成条件と画像情報とから構成される画像形成情報を受信し、この受信された頁毎の画像情報を頁毎の画像情報形式の圧縮、非圧縮で集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする画像形成方法。
【請求項８】
通信回線を介して送信される頁毎の画像形成条件と画像情報とから構成される画像形成情報を受信し、この受信された頁毎の画像情報を頁毎の画像の解像度に応じて集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする画像形成方法。
【発明の詳細な説明】
【０００１】
【発明の属する技術分野】
この発明は、たとえばハードディスク装置を有して、印刷ジョブをハードディスク装置内にジョブファイルとして格納し、ジョブファイル毎に印刷処理するデジタル複写機等の画像形成装置と画像形成方法に関する。
【０００２】
【従来の技術】
ハードディスク装置を有して、印刷ジョブ（画像データ及び印刷情報）をハードディスク装置内にジョブファイルとして格納し、ジョブファイル毎に印刷処理するデジタル複写機等の画像形成装置において、従来、印刷ジョブは、常に一つのジョブファイルとしてファイル化して処理していた。ファイルの情報としては、ジョブ全体の情報及びページ毎の情報の両方を格納していた。
【０００３】
しかしながら、上述した形のファイル化されたジョブを実際に印刷する場合、印刷を行うモジュールは、一枚毎にジョブ全体の情報及びページ毎の情報の両方を参照し、適切な印刷手順を判断する必要があった。
【０００４】
例えば、ジョブ全体の情報として両面印刷が指定されており、１ページ目がＡ４、２ページ目がＡ３、３ページ目がＡ３のデータであった場合、印刷を行うモジュールは、１ページ目の印刷を行う前に２ページ目の用紙サイズを確認し、それにより両面印刷を中止し、Ａ４用紙を給紙して１ページ目の片面印刷を行い、２ページ目の印刷の前に３ページ目の用紙サイズを確認し、それにより両面印刷を再開し、Ａ３用紙を給紙して２ページ目、３ページ目による両面印刷を行うという面倒な判断を常に行わなければならず、印刷を行うモジュールのプログラム構成が複雑になり、処理に時間がかかっていた。また、開発に時間がかかることにもなっていた。
【０００５】
【発明が解決しようとする課題】
上記したように、ハードディスク装置を有して、印刷ジョブ（画像データ及び印刷情報）をハードディスク装置内にジョブファイルとして格納し、ジョブファイル毎に印刷処理するデジタル複写機等の画像形成装置において、印刷を行うモジュールは、一枚毎にジョブ全体の情報及びページ毎の情報の両方を参照して適切な印刷手順を判断する必要があり、印刷（画像形成）を行うモジュールのプログラム構成が複雑になって印刷処理（画像形成）に時間がかかり、また、プログラムの開発に時間がかかるという問題があった。
【０００６】
そこで、この発明は、ハードディスク装置内にジョブファイルとして格納してジョブファイル毎に画像形成を処理する画像形成装置において、画像形成を行うモジュールのプログラム構成を容易にしてプログラム開発時間、画像形成の処理時間を短縮化することのできる画像形成装置と画像形成方法を提供することを目的とする。
【０００７】
【課題を解決するための手段】
この発明の画像形成装置は、通信回線を介して送信される頁毎の画像形成条件と画像情報とから構成される画像形成情報を受信する受信手段と、この受信手段で受信された画像形成情報を構成する頁毎の画像形成条件における任意の単数または複数の画像形成条件が共通な頁を集合化し、集合化した頁を１つの動作ファイルとして生成する生成手段と、
この生成手段で生成された動作ファイルを記憶する記憶手段と、
この記憶手段に記憶された動作ファイル単位で、頁毎の画像情報に基づいて被画像形成媒体に画像を形成する画像形成手段とから構成されている。
【０００９】
この発明の画像形成装置は、通信回線を介して送信される頁毎の画像形成条件と画像情報とから構成される画像形成情報を受信する受信手段と、この受信手段で受信された頁毎の画像情報を画像を形成する用紙サイズ毎に集合化し、集合化した頁を１つの動作ファイルとして生成する生成手段と、この生成手段で生成された動作ファイルを記憶する記憶手段と、この記憶手段に記憶された動作ファイル単位で、頁毎の画像情報に基づいて被画像形成媒体に画像を形成する画像形成手段とから構成されている。
【００１０】
この発明の画像形成装置は、通信回線を介して送信される頁毎の画像形成条件と画像情報とから構成される画像形成情報を受信する受信手段と、この受信手段で受信された頁毎の画像情報を頁毎の画像情報形式の圧縮、非圧縮で集合化し、集合化した頁を１つの動作ファイルとして生成する生成手段と、この生成手段で生成された動作ファイルを記憶する記憶手段と、この記憶手段に記憶された動作ファイル単位で、頁毎の画像情報に基づいて被画像形成媒体に画像を形成する画像形成手段とから構成されている。
【００１１】
この発明の画像形成装置は、通信回線を介して送信される頁毎の画像形成条件と画像情報とから構成される画像形成情報を受信する受信手段と、この受信手段で受信された頁毎の画像情報を頁毎の画像の解像度に応じて集合化し、集合化した頁を１つの動作ファイルとして生成する生成手段と、この生成手段で生成された動作ファイルを記憶する記憶手段と、この記憶手段に記憶された動作ファイル単位で、頁毎の画像情報に基づいて被画像形成媒体に画像を形成する画像形成手段とから構成されている。
【００１３】
この発明の画像形成方法は、通信回線を介して送信される頁毎の画像形成条件と画像情報とから構成される画像形成情報を受信し、この受信された画像形成情報を構成する頁毎の画像形成条件における任意の単数または複数の画像形成条件が共通な頁を集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする。
【００１４】
この発明の画像形成方法は、通信回線を介して送信される頁毎の画像形成条件と画像情報とから構成される画像形成情報を受信し、この受信された頁毎の画像情報を画像を形成する用紙サイズ毎に集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする。
【００１５】
この発明の画像形成方法は、通信回線を介して送信される頁毎の画像形成条件と画像情報とから構成される画像形成情報を受信し、この受信された頁毎の画像情報を頁毎の画像情報形式の圧縮、非圧縮で集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする。
【００１６】
この発明の画像形成方法は、通信回線を介して送信される頁毎の画像形成条件と画像情報とから構成される画像形成情報を受信し、この受信された頁毎の画像情報を頁毎の画像の解像度に応じて集合化し、集合化した頁を１つの動作ファイルとして生成し、この生成された動作ファイルを記憶し、この記憶された動作ファイル単位で、頁毎の画像情報に基づいて被画像形成媒体に画像を形成するようにしたことを特徴とする。
【００１７】
【発明の実施の形態】
以下、この発明の一実施の形態について図面を参照して説明する。
【００１８】
図１は、この発明に係る画像形成装置としてのデジタル複写機の全体構成を概略的に示すものである。このデジタル複写機１はスキャナ２及びプリンタ（レーザエンジン）３を備え、上部に自動原稿送り装置（ＡＤＦ）４を装着している。
【００１９】
自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。カバー本体２１の上面やや右方向部位には、複数枚の原稿を一括保持し得る原稿給紙台２２が設けられている。装置の一端側には、原稿を順次一枚ずつ取出し原稿台５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。原稿台５の上面には、これを覆う原稿搬送ベルト３７が張設されている。原稿搬送ベルト３７は、一対のベルトローラ４０、４０に掛渡された外表面が白色の幅広無端ベルトからなり、ベルト駆動機構（図示しない）によって正逆両方向に走行し得る構成となっている。また、原稿搬送ベルト３７の内周部の裏面側には、ベルト面を原稿台５上に押さえ付けるための複数のベルト押えローラ４１…および自動原稿送り装置の開閉状態を検知するセットスイッチ（図示せず）が設けられている。そして、前記給送手段２３によって給送された原稿を、原稿台５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。また、原稿排出路には、原稿を表裏逆にして原稿台５に導くためにゲート４９が設けられ、原稿を両面複写可能としている。
【００２０】
読取手段としてのスキャナ２は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、およびＣＣＤセンサ１１の出力つまり画像データ（情報）をアナログデータからデジタルデータに変換するＡ／Ｄ変換部  （図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これにより、レンズ１０までの光路長が一定になるように走査できるようになっている。上記レンズ１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ７、９、ミラー１２ａ、１２ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００２１】
６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００２２】
コピー用紙Ｐに印刷する画像形成手段としてのプリンタ３は、たとえばレーザ光学系と転写紙に画像形成が可能な電子写真方式を組み合せている。すなわち、プリンタ３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、クリーニング前除電チャージャ５７、クリーナ５８、除電ランプ５９、及び帯電チャージャ６１が順に配置されている。感光体ドラム５０は、帯電チャージャ６１によって一様に帯電されるようになっているとともに、スキャナ２からレーザ光を出力して前記感光体ドラム５０上に原稿の画像を結像し、静電潜像が形成されるようになっている。
【００２３】
そして、前記感光体ドラム５０上に形成された静電潜像は、現像装置５４により現像され、後述する給紙手段としての給紙カセット３０から給紙ローラ２０、アライニングローラ２５を介して送紙されるコピ−用紙（被画像形成媒体）Ｐ上に現像画像を転写チャージャ５５により転写される。この転写チャージャ５５による転写後のコピ−用紙Ｐは、剥離チャージャ５６のＡＣコロナ放電により剥離されて、搬送ベルトを介して定着器７１に搬送され、この定着器７１によって現像画像が溶融定着されたコピ−用紙Ｐは、排紙ロ−ラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００２４】
一方、前記コピ−用紙Ｐへの現像画像の転写・剥離後の感光体ドラム５０上に残留した現像剤は、クリーニング前除電チャージャ５７で予め除電された後、クリーナ５８により清掃され、除電ランプ５９により感光体ドラム５０上の電位が一定のレベル以下にされ、次のコピ−動作を可能にしている。
【００２５】
なお、コピ−用紙Ｐの両面に印刷する両面コピ−の場合には、前述した定着器７１によって現像画像が溶融定着されたコピ−用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャ−ジャ５５に搬送され、印刷されていない他方の面に現像画像が転写される。また、トレイ７５ｂの下部には、光反射型の紙センサ７５ｄが設けられ、トレイ７５ｂ上にスタックされる用紙の有無が検知される。
【００２６】
また、搬送路７５ａ、トレイ７５ｂ、搬送路７５ｃ、及び紙センサ７５ｄとから自動両面反転機構としての自動両面装置（ＡＤＤ）７５が構成されている。
【００２７】
また、図中３０は前記装置本体１のフロント側より着脱自在に上下複数段に装着された給紙手段としての給紙カセットである。この給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ３に向け搬送されるようになっているものである。
【００２８】
また、装置本体の右サイド側には、着脱自在に装着された給紙カセット４３と大容量給紙装置（ＬＣＦ）４７とが設けられている。給紙カセット４３に収納されたコピー用紙Ｐは、ピックアップローラ４３ａにて最上層からピックアップされて取り出されるようになっている。このピックアップローラ４３ａにて取り出されて給紙カセット４３の取出し端部側に送り込まれたコピー用紙Ｐは、給紙カセット４３の取出し端部の内側上方に設置された給紙ローラ４３ｂと分離ローラ４３ｃとからなる用紙分離部にて一枚ずつ分離されて、プリンタ３に向け搬送されるようになっている。ＬＣＦ４７に収納されたコピー用紙Ｐは、ピックアップローラ４７ａにて最上層からピックアップされて取り出されるようになっている。このピックアップローラ４７ａにて取り出されてＬＣＦ４７の取出し端部側に送り込まれたコピー用紙Ｐは、ＬＣＦ４７の取出し端部の内側上方に設置された給紙ローラ４７ｂと分離ローラ４７ｃとからなる用紙分離部にて一枚ずつ分離されて、プリンタ３に向け搬送されるようになっている。
【００２９】
次に、図２乃至図６を参照してデジタル複写機１の制御系について説明する。図２はファクシミリ機能、プリンタ機能を備えたデジタル複写機１の制御系の全体構成を、図３はスキャナ２を、図４は基本部ＣＰＵ３１１を、図５はプリンタ３を、図６はファクシミリ３１２を示す。
【００３０】
上記デジタル複写機１の制御系は、全体は大きく２つのブロックより成り、スキャナ２、プリンタ３との間を画像処理部３１４で繋ぎ、ファクシミリ機能としてのファクシミリ（ＦＡＸ）３１２を有するデジタル複写機１を構成する基本部３０１と、この基本部３０１からの画像データを受け取り記憶し、その記憶した画像データを再び基本部３０１に転送することでメモリコピーを実現する記憶手段としてのページメモリ部３０２とから構成される。
【００３１】
基本部３０１とページメモリ部３０２は制御データをやりとりする基本部システムインタフェース３１６、画像データをやりとりする基本部画像インタフェース３１７とで接続されている。
【００３２】
次に、基本部３０１は入力手段としてのスキャナ２、出力手段としてのプリンタ３、画像処理手段（画像処理部）３１４、ファクシミリ３１２、およびこれらを制御する制御手段（基本部ＣＰＵ）３１１から構成される。
【００３３】
図４に示すように制御手段（基本部ＣＰＵ）３１１のシステムＣＰＵ１００には、ハードディスク装置（ＨＤＤ）８０、ＲＯＭ１０２、ＲＡＭ１０４、画像メモリ１０６、タイマメモリ１０８、暗証コードメモリ１１０、タイマ１１２、内部インタフェース１２２、外部インタフェース１２４とが接続されている。
【００３４】
ハードディスク装置８０は、記憶手段として画像データ及び印刷情報等の印刷ジョブをジョブファイルとして格納する。
【００３５】
内部インタフェース１２２には操作パネル１１４が接続され、操作パネル１１４にはメッセージ表示器９３、テンキー１０５、スタートキー１０１等が配置されている。
【００３６】
外部インタフェース１２４にはユニット７４が接続され、また、外部インタフェース１２４には、受信手段としてさらにＬＡＮ等の通信回線を介して外部装置（パーソナルコンピュータ等）が接続されるようになっている。
【００３７】
また、システムＣＰＵ１００には、エンジンＣＰＵ１９０、及びファクシミリ（ＦＡＸ）３１２とが接続されている。このエンジンＣＰＵ１９０は、スキャナ２とプリンタ３とを制御するものである。
【００３８】
次に、図３を参照してスキャナ２の詳細な構成について説明する。エンジンＣＰＵ１９０は、スキャナ２における露光ランプ６を制御するランプ制御部１６４、走査モータ１６６を制御するモータドライバ１６８、原稿サイズ検知センサ１６９を含むセンサ、スイッチ、ソレノイド類１７０を駆動制御する駆動部１７２に接続してこれらを制御し、また、光電素子としてのＣＣＤセンサ１１からの画像情報について画像処理するためのＡ／Ｄ変換回路１７６、解像度変換回路１７８、シェーディング補正回路１７９、画質改善回路１８０、２値化回路１８２に接続して、これらを制御する。
【００３９】
次に、図５を参照してプリンタ３について詳細に説明する。エンジンＣＰＵ１９０には、プリンタ３におけるメインモータ１９２を駆動するメインモータドライバ１９４、紙サイズ検知センサ１９５を含むセンサ、スイッチ、ソレノイド類１９６を駆動制御する駆動部１９８、定着器７１の定着ランプ２００を制御する定着ランプ制御部２０２、帯電チャ−ジャ５９、転写チャージャ５５、剥離チャージャ５６、ＰＣＣチャージャ５７を制御する高圧出力制御部２１２、除電ランプ５８を制御する除電ランプ制御部２１６、給紙ローラ２０、ピックアップローラ８１用の給紙モータ２２２を制御する給紙制御部２２４、レーザダイオード６０、及びポリゴンモータ２２８用のレーザ駆動回路２３０を制御する変調回路２３２が接続されている。エンジンＣＰＵ１９０は、それぞれ接続されている各部を制御する。高圧出力制御部２１２と帯電チャ−ジャ５９、転写チャージャ５５、剥離チャージャ５６、ＰＣＣチャージャ５７との間には、それぞれ高圧トランス５９ａ，５５ａ，５６ａ，５７ａが設けられている。
【００４０】
次に、ペ−ジメモリ部３０２について図２を参照して説明する。ページメモリ部３０２は、基本部３０１からのページメモリ３２３へのアクセスを制御し、通信メモリ３０５を内蔵するシステム制御手段３０４、画像データを一時的に記憶しておく記憶手段（ＰＭ：ページメモリ）３２３、ページメモリ３２３のアドレスを生成するアドレス制御部３０６、ページメモリ部３０２内の各デバイス間のデータ転送を行う画像バス３２０、ページメモリ部３０２内の各デバイスとシステム制御手段３０４との間の制御信号の転送を行う制御バス３２１、画像バス３２０を介してページメモリ３２３と他のデバイスとのデータ転送を行うときのデータ転送を制御するデータ制御手段３０７、基本部画像インタフェース３１７を介して基本部３０１と画像データを転送するときに画像データをインタフェースする画像データＩ／Ｆ手段３０８、解像度の異なる機器に画像データを送信するときに画像データを他の機器の解像度に変換したり、解像度の異なる機器から受信した画像データを基本部３０１のプリンタ３の解像度に変換したり、２値画像データの９０度回転処理を実行する解像度変換／２値回転手段３２５、ファクシミリ送信や光ディスク記憶のように画像データを圧縮して送信したり、記憶したりするデバイスのために入力した画像データを圧縮したり、圧縮された形態の画像データを可視化プリントするために伸長する圧縮伸長手段３２４、画像データＩ／Ｆ手段３０８に接続され、プリンタ３から画像データを出力するときに画像データを９０度あるいは−９０度回転して出力するときに使用する多値回転メモリ３０９で構成される。
【００４１】
次に、ファクシミリの送信手段と受信手段としてのファクシミリ３１２について図６を参照して説明する。ファクシミリ３１２は、公衆回線に接続され、アナログ回線接続のための変復調装置であるモデム２４２、２値画像データの符号化／復号化装置であるＣＯＤＥＣ２４４，２４６、通信制御プログラム用のＥＰＲＯＭ２４８、画像データの記憶手段であってバッテリ２５０にバックアップされた疑似ＳＲＡＭ２５２、画像データの各種処理を行う際に用いられるワークＲＡＭ２５４、増設メモリ２５６、及びファクシミリ受信データを画像処理部３１４に出力するインタフェース用のＡＳＩＣ２５８とから構成されている。
【００４２】
図７は、操作手段としての操作パネル１１４の構成を示すものである。すなわち、操作パネル１１４は、フィニッシャーキー８２、状態表示器８３、給紙カセット３０の選択手段としてのカセット選択キー８６、ＨＥＬＰキー８７、自動用紙選択キー８８、自動倍率選択キー８９、ズーム／１００％キー９０、原稿サイズキー９１、用紙サイズキー９２、メッセージ表示器９３、自動濃度キー９４、マニュアル濃度キー９５、予熱キー９６、割り込みキー９７、オールクリアキー９８、クリア／ストップキー９９、スタートキー１０１、タイマキー１０３、及びテンキー１０５とから構成されている。
【００４３】
フィニッシャーキー８２は、ソートモード、グループモード、ステイプルモードを選ぶときに使用する。
【００４４】
表示パネル８３は、各種の絵文字が点滅・表示され、複写機の状態を表わす。
【００４５】
カセット選択キー８６は、選択されているカセットが希望のサイズでないとき、このキーを押して別のカセットを選ぶことができる。
【００４６】
ＨＥＬＰキー８７は、操作ガイドキーとして押下されると、操作手順を示すメッセージが表示され、機能設定後に押すと設定内容を確認することができる。
【００４７】
自動用紙選択キー８８は、通常自動用紙選択モードになっている。原稿台（ガラス）５上にセットした原稿のサイズを自動的に検出し、それと同じサイズの用紙を自動的に選択する（等倍コピーのみ）。
【００４８】
自動倍率選択キー８９は、このキーを押して自動倍率選択モードを選び希望する用紙サイズを指定すると、原稿台（ガラス）５上にセットした原稿のサイズを検出し、自動的にコピー倍率を計算する。
【００４９】
ズーム／１００％キー９０は、「２５％＜」キーを押すと、コピー倍率は１％きざみで２５％まで小さくなる。「＞２００％」キーを押すと、コピー倍率は１％きざみで２００％まで大きくなる。「１００％」キーを押すと等倍（１００％）に戻る。
【００５０】
原稿サイズキー９１は、原稿サイズをセットするときに使用する。用紙サイズを選択して原稿サイズを指定すると、コピー倍率が自動的にセットされる。
【００５１】
用紙サイズキー９２は、用紙サイズを選択するときに使用する。
【００５２】
メッセージ表示器９３は、デジタル複写機１の状態、操作手順およびユーザに対する各種の指示を文字と絵で表示する。表示手段としてのメッセージ表示器９３は、タッチパネルを内蔵し、機能の設定も行うことができる。
【００５３】
自動濃度キー９４は、自動濃度を選択すると、デジタル複写機１が自動的に原稿の濃淡を検出して最適コピー濃度を選択する。
【００５４】
マニュアル濃度キー９５は、マニュアル濃度では希望するコピー濃度を選ぶことができる。「うすく」キーを押して濃度を５段階でうすくでき、「こく」キーを押して５段階でこくできる。
【００５５】
予熱キー９６は、このキーを押すと、予熱（節電）状態に入りすべての表示ランプが消える。再びコピーをとるときは、もう一度このボタンを押す。
【００５６】
割り込みキー９７は、連続コピーの途中で、割り込みコピーをとりたいときに使用する。
【００５７】
オールクリアキー９８は、このキーを押すと、選択したモードがすべてクリアされ、標準状態に戻る。
【００５８】
クリア／ストップキー９９は、コピー枚数を訂正するとき、またはコピー動作を停止させるときに使用する。
【００５９】
スタートキー１０１は、コピーを開始するときに押す。
【００６０】
タイマキー１０３は、このキーを押すと、何時にデジタル複写機１の電源がオン、オフするか表示される（ウイークリータイマが設定されている場合）。
【００６１】
テンキー１０５は、コピーしたい枚数をセットするときに使用する。コピー枚数は１〜９９９枚までセットできる。
【００６２】
図８に示すように本発明に係るデジタル複写機１は、接続される通信回線としてのＬＡＮに接続されるホストコンピュータ１２０，パーソナルコンピュータ  （ＰＣ）１２１、他のデジタル複写機（ＤＰＰＣ）１２３等で画像形成システムが構成されている。
【００６３】
図９は、印刷ジョブをハードディスク装置にジョブファイルとして格納する従来のジョブファイルの構成例を示すものである。ホストコンピュータよりＬＡＮを介して送信されてくる印刷データは、ジョブ全体のジョブとページ毎の情報とに分け、それぞれジョブヘッダ及びページヘッダに格納し、各ページヘッダに続いて画像データが格納される。図において、ジョブヘッダにコピー枚数、両面印刷指定、印刷順指定、ソートモード指定、縮小合成印刷指定、総ページ数が格納され、ページヘッダに用紙サイズ、給紙元、画像データ形式が格納され、１ページ分の画像データが格納され、次のページヘッダに用紙サイズ、給紙元、画像データ形式が格納され、次のページ分の画像データが格納され、総ページ数まで格納される。
【００６４】
図１０は、ホストコンピュータ１２０からＬＡＮを介して送信されてくる印刷データの例を示すものである。
【００６５】
図において、まず、ホストデータがコピー枚数：１０枚、両面印刷指定：両面縦綴じ、印刷順指定：逆順、ソートモード指定：ソート、縮小合成印刷指定：２in１、続いて１ページ目が用紙サイズ：Ａ４、給紙元：上段カセット、画像データ形式：圧縮、画像データ：Ａ４画像データ、２ページ目が用紙サイズ：Ａ３、給紙元：下段カセット、画像データ形式：圧縮、画像データ：Ａ３画像データ、３ページ目が用紙サイズ：Ａ３、給紙元：下段カセット、画像データ形式：非圧縮、画像データ：Ａ３画像データ、４ページ目が用紙サイズ：Ｂ４、給紙元：大容量カセット、画像データ形式：圧縮、画像データ：Ｂ４画像データ、５ページ目が用紙サイズ：Ｂ４、給紙元：大容量カセット、画像データ形式：圧縮、画像データ：Ｂ４画像データと送信されている。
【００６６】
図１１は、図１０に示す印刷データを受信した際に生成される従来のジョブファイルの構成を示すものである。
【００６７】
この従来のジョブファイルの構成は、ジョブヘッダにコピー枚数：１０枚、両面印刷指定：両面縦綴じ、印刷順指定：逆順、ソートモード指定：ソート、総ページ数：５ページ、続いてページヘッダに用紙サイズ：Ａ４、給紙元：上段カセット、画像データ形式：圧縮、画像データ：Ａ４画像データ、続くページヘッダに用紙サイズ：Ａ３、給紙元：下段カセット、画像データ形式：圧縮、画像データ：Ａ３画像データ、続くページヘッダに用紙サイズ：Ａ３、給紙元：下段カセット、画像データ形式：非圧縮、画像データ：Ａ３画像データ、続くページヘッダに用紙サイズ：Ｂ４、給紙元：大容量カセット、画像データ形式：圧縮、画像データ：Ｂ４画像データ、続くページヘッダに用紙サイズ：Ｂ４、給紙元：大容量カセット、画像データ形式：圧縮、画像データ：Ｂ４画像データとされる。
【００６８】
図１２は、本発明の電子複写機１のハードディスク装置８０に格納される図１０に示す印刷データを受信した際に生成されるジョブファイルの構成を示すもので、３つのジョブファイルの構成となる。
【００６９】
図１２の（ａ）において、ジョブヘッダにコピー枚数：１０枚、用紙サイズ：Ａ４、給紙元：上段カセット、両面印刷指定：片面印刷、印刷順指定：逆順、ソートモード指定：ソート、総ページ数：１ページ、１ページ目のページヘッダに画像データ形式：圧縮、画像データ：Ａ４画像データとし、用紙サイズＡ４のみの印刷データで１つのジョブファイルを構成する。
【００７０】
図１２の（ｂ）において、次のファイルジョブヘッダにコピー枚数：１０枚、用紙サイズ：Ａ３、給紙元：下段カセット、両面印刷指定：両面縦綴じ、印刷順指定：逆順、ソートモード指定：ソート、総ページ数：２ページ、１ページ目のページヘッダに画像データ形式：圧縮、画像データ：Ａ３画像データ、２ページ目のページヘッダに画像データ形式：非圧縮、画像データ：Ａ３画像データとし、用紙サイズＡ３のみの印刷データで１つのジョブファイルを構成する。
【００７１】
図１２の（ｃ）において、ジョブヘッダにコピー枚数：１０枚、用紙サイズ：Ｂ４、給紙元：大容量カセット、両面印刷指定：両面縦綴じ、印刷順指定：逆順、ソートモード指定：ソート、総ページ数：２ページ、１ページ目のページヘッダに画像データ形式：圧縮、画像データ：Ｂ４画像データ、２ページ目のページヘッダに画像データ形式：圧縮、画像データ：Ｂ４画像データとし、用紙サイズＢ４のみの印刷データで１つのジョブファイルを構成する。
【００７２】
次に、図１２に示した本発明のジョブファイルを生成する動作を図１３のフローチャートを参照して説明する。
【００７３】
上述したようにホストコンピュータ１２０から図１０に示す印刷データがＬＡＮを介してデジタル複写機１へ送信されたものとする。
【００７４】
まず、システムＣＰＵ１００は、ハードディスク装置８０のファイルをオープンし（ＳＴ１）、ジョブヘッダを生成し（ＳＴ２）、ページヘッダを生成する（ＳＴ３）。
【００７５】
そして、システムＣＰＵ１００は、外部インタフェース１２４を介してホストコンピュータ１２０からの印刷データを受信し（ＳＴ４）、受信した情報がジョブ情報であれば（ＳＴ５）、ステップＳＴ２で生成したジョブヘッダに書き込む（ＳＴ６）。
【００７６】
さらにシステムＣＰＵ１００は、ステップＳＴ５でジョブ情報ではなくページ情報であれば（ＳＴ７）、用紙サイズをチェックして用紙サイズの変更がなければステップＳＴ３で生成したページヘッダに書き込む（ＳＴ９）。ステップＳＴ８で用紙サイズの変更があれば、このジョブファイルをクローズして新たなジョブファイルを構成する。続いてシステムＣＰＵ１００は、次のジョブファイルをオープンし（ＳＴ１１）、無意味な設定をキャンセルし、既設定項目をコピーしてジョブヘッダを生成し（ＳＴ１２）、既設定項目をコピーしてページヘッダを生成し（ＳＴ１３）、ステップＳＴ４へ移行する。
【００７７】
また、システムＣＰＵ１００は、ステップＳＴ７でページ情報でなく画像データであれば（ＳＴ１４）、ステップＳＴ３またはステップＳＴ１３で生成したページヘッダに続いて画像データを書き込み（ＳＴ１５）、ページ終了であればステップＳＴ３へ移行する（ＳＴ１６）。
【００７８】
そして、システムＣＰＵ１００は、ステップＳＴ１４で画像データでなく、ステップＳＴ１６でページ終了でなく、印刷終了でもなければ（ＳＴ１８）、ステップＳＴ４へ移行し、ステップＳＴ１８で印刷終了であればジョブファイルをクローズし（ＳＴ１９）、格納を終了する。
【００７９】
システムＣＰＵ１００は、ハードディスク装置８０に格納された図１２に示すように構成されたジョブファイルにより、容易に用紙サイズ毎に印刷処理を行うことができ、印刷処理時間の短縮化が図れる。
【００８０】
また、必要に応じてシステムＣＰＵ１００は、ユニット７４の排紙トレイ７４ａに排出される印刷済みの用紙Ｐを分類して排出する。
【００８１】
なお、図１２、図１３では、ステップＳＴ８の用紙サイズの変更に応じてファイルをクローズして新たなファイルをオープンしたが、図１４のフローチャートに示すようにステップＳＴ２８において画像データ形式（圧縮・非圧縮）の変更に応じてファイルをクローズして新たなファイルをオープンするようにしても良い。
【００８２】
また、図１５のフローチャートに示すようにステップＳＴ３８において解像度の変更に応じてファイルをクローズして新たなファイルをオープンするようにしても良い。
【００８３】
以上説明したように上記発明の実施の形態によれば、連続する同じ用紙サイズのページ毎に別のジョブファイルにすることで、ページ毎に付随している情報をジョブ全体の情報として持つことができ、ページ数の多い印刷ジョブに於いてジョブファイルのサイズを小さくすることができる。また、ページ数の多いジョブファイルや多くの数のジョブファイルを記憶部に格納することができる。
【００８４】
さらに、ジョブファイルの印刷を行うモジュールは、一枚毎にジョブヘッダ及びページヘッダの両方を参照して適切な印刷手順を判断する必要があったが、殆どジョブヘッダの内容のみを参照することで印刷を行うことができるので、印刷モジュールのプログラム構成がシンプルになり、より高速な印刷を行うことができる。また、プログラム構成がシンプルであるのでプログラム開発時間も短縮することができる。
【００８５】
また、ジョブの分割に際し、実行しても無意味な印刷設定はキャンセルされるため無駄な動作が発生せず、印刷の処理を速くすることができる。
【００８６】
また、連続する同じ画像データ形式のページ毎に別のジョブファイルにすることで上記効果を得ることも可能である。
【００８７】
さらに、連続する同じ解像度のページ毎に別のジョブファイルにすることで上記効果を得ることも可能である。
【００８８】
【発明の効果】
以上詳述したようにこの発明によれば、ハードディスク装置内にジョブファイルとして格納してジョブファイル毎に画像形成を処理する画像形成装置において、画像形成を行うモジュールのプログラム構成を容易にしてプログラム開発時間、画像形成の処理時間を短縮化することのできる画像形成装置と画像形成方法を提供することができる。
【図面の簡単な説明】
【図１】この発明の画像形成装置に係るデジタル複写機の断面図。
【図２】画像形成装置のシステム構成図。
【図３】スキャナの構成を示すブロック図。
【図４】基本部ＣＰＵの構成を示すブロック図。
【図５】プリンタの構成を示すブロック図。
【図６】ファクシミリの構成を示すブロック図。
【図７】操作パネルの構成を示す図。
【図８】画像形成システムを示す図。
【図９】従来のジョブファイルの構成例を示す図。
【図１０】印刷データの例を示す図。
【図１１】印刷データを受信した際に生成される従来のジョブファイルの構成を示す図。
【図１２】印刷データを受信した際に生成される本発明のジョブファイルの構成を示す図。
【図１３】ジョブファイルを生成する動作を説明するためのフローチャート。
【図１４】ジョブファイルを生成する動作を説明するためのフローチャート。
【図１５】ジョブファイルを生成する動作を説明するためのフローチャート。
【符号の説明】
１…電子複写機
２…スキャナ
３…プリンタ
４…自動原稿送り装置
７４…ユニット
８０…ハードディスク装置
１００…システムＣＰＵ
１０２…ＲＯＭ
１０４…ＲＡＭ
１１４…操作パネル
１２０…ホストコンピュータ
１２４…外部インタフェース
【図１】
0003710580.tif 000002
【図２】
0003710580.tif 000003
【図３】
0003710580.tif 000004
【図４】
0003710580.tif 000005
【図５】
0003710580.tif 000006
【図６】
0003710580.tif 000007
【図７】
0003710580.tif 000008
【図８】
0003710580.tif 000009
【図９】
0003710580.tif 000010
【図１０】
0003710580.tif 000011
【図１１】
0003710580.tif 000012
【図１２】
0003710580.tif 000013
【図１３】
0003710580.tif 000014
【図１４】
0003710580.tif 000015
【図１５】
0003710580.tif 000016